(57)【要約】      （修正有）【課題】内蔵されている近接センサーによって誤作動が生じない、携帯電子機器の防水ケースを提供する。【解決手段】液晶タッチパネルを有し携帯電話機能を備えた携帯電子機器２２を収納する防水ケース２１であって、該防水ケース２１は、携帯電子機器２２の背面２２ａと両側面２２ｂと上面２２ｃと下面２２ｄとをカバーするシリコーン樹脂製の背面側ケース部材２３と、該背面側ケース部材２３に被せて携帯電子機器２２の正面をカバーする合成樹脂製の正面側ケース部材２４とから構成される。正面側ケース部材２４の内側面には、携帯電子機器２２に内蔵された近接センサーに対応する位置に、当該近接センサーから発せられる赤外線を屈折させるためのプリズムを設けた。【選択図】図３
0003177946.tif 000002
【実用新案登録請求の範囲】
【請求項１】
液晶タッチパネルを有し携帯電話機能を備えた携帯電子機器を収納する防水ケースであって、
該防水ケースは、前記携帯電子機器の背面と両側面と上面と下面とをカバーするシリコーン樹脂製の背面側ケース部材と、該背面側ケース部材に被せて前記携帯電子機器の正面をカバーする合成樹脂製の正面側ケース部材とから構成され、
前記正面側ケース部材の内側面には、前記携帯電子機器に内蔵された近接センサーに対応する位置に、当該近接センサーから発せられる赤外線を屈折させるためのプリズムを設けたこと
を特徴とする防水ケース。
【請求項２】
前記プリズムは、短手方向における傾斜角度θ１が１１０から１３０度の範囲であり、長手方向における傾斜角度θ２が１１０から１３０度の範囲であること
を特徴とする請求項１に記載の防水ケース。
【請求項３】
前記プリズムは、中央部近傍に細幅の遮光手段を設けたこと
を特徴とする請求項１に記載の防水ケース。
【考案の詳細な説明】
【技術分野】
【０００１】
本考案は、例えばｉＰｈｏｎｅ（登録商標）のような液晶タッチパネルを有して携帯電話機能を備える携帯電子機器を収納するための防水ケースの改良に関するものである。
【背景技術】
【０００２】
従来、携帯電子機器を収納する防水ケースとしては、例えば図１１に示す構成のものが知られている。この防水ケース１は、下ケース２と上ケース３とを嵌合し、固定具４で固定して携帯電子機器５を収納する構造であって、下ケース２は、底部６と第一壁部７と第一緩衝部材８と防水部材９とを備え、上ケース３は、蓋部１０と第二壁部１１と第二緩衝部材１２とを備えている。また、上ケース３には、小窓１３が形成されている（特許文献１参照）。
【０００３】
このような構成の防水ケース１は、防水部材９を有することによって防水性を備え、また、第一緩衝部材８と第二緩衝部材１２とを有することによって耐衝撃性を備えるという特徴がある。
【先行技術文献】
【特許文献】
【０００４】
【特許文献１】特開２０１１−１７６１９９号公報
【考案の概要】
【考案が解決しようとする課題】
【０００５】
一般に、ｉＰｈｏｎｅ（登録商標）のような液晶タッチパネルと携帯電話機能とを備える携帯電子機器には、近接センサーが内蔵されており、この近接センサーが通話時に耳が近づいたことを感知して、節電のためタッチパネルの表示をＯＦＦすると共に、顔がタッチパネルに触れてもスイッチを押した動作ではないことの判断を行っている。
【０００６】
この場合の近接センサーは、発光素子から発した赤外線を対象物（耳）に当て、反射した赤外線を受光素子が受け取って測定し、対象物が一定距離内に近づいたことを判断する仕組みである。
【０００７】
このような仕組みの携帯電子機器を、従来例の防水ケース１に収納した場合には、発光素子から発した赤外線が、当該防水ケース１の内側面に当たって反射し、その反射した赤外線を受光素子が受け取って測定することになり、その結果、通話中（耳が接近中）と誤判断して誤作動が生じるという問題点を有している。
【０００８】
従って、従来例における防水ケース１においては、近接センサーを内蔵した携帯電子機器を収納した場合でも、誤作動が生じないよう工夫することに解決しなければならない課題を有している。
【課題を解決するための手段】
【０００９】
前記従来例の課題を解決するための本考案の要旨は、液晶タッチパネルを有し携帯電話機能を備えた携帯電子機器を収納する防水ケースであって、該防水ケースは、前記携帯電子機器の背面と両側面と上面と下面とをカバーするシリコーン樹脂製の背面側ケース部材と、該背面側ケース部材に被せて前記携帯電子機器の正面をカバーする合成樹脂製の正面側ケース部材とから構成され、前記正面側ケース部材の内側面には、前記携帯電子機器に内蔵された近接センサーに対応する位置に、当該近接センサーから発せられる赤外線を屈折させるためのプリズムを設けたことである。
【００１０】
また、前記プリズムは、短手方向における傾斜角度θ１が１１０から１３０度の範囲であり、長手方向における傾斜角度θ２が１１０から１３０度の範囲であること、；
前記プリズムは、中央部近傍に細幅の遮光手段を設けたこと、；
を含むものである。
【考案の効果】
【００１１】
本考案に係る防水ケースによれば、正面側ケース部材の内側面に、近接センサーから発せられる赤外線を屈折させるためのプリズムを設けたことによって、近接センサーの発光素子から発した赤外線がプリズムに当たって屈折した状態に反射する。従って、反射した赤外線が受光素子に受光されないので、従来例のような通話中（耳が接近中）と誤判断することがなく、誤作動が生じないという優れた効果を奏する。
【００１２】
プリズムは、短手方向における傾斜角度θ１が１１０から１３０度の範囲であり、長手方向における傾斜角度θ２が１１０から１３０度の範囲であることによって、プリズムに当たった赤外線の一部が乱反射して正面側ケース部材の外側に向かって反射することとなる。
通話時においては、その乱反射した赤外線が耳に当たって反射し、受光素子が受け取って近接センサーが作動して、節電のためタッチパネルの表示をＯＦＦするという優れた効果を奏する。
【００１３】
プリズムは、中央部近傍に細幅の遮光手段を設けたことによって、近接センサーの発光素子から発した赤外線がプリズムに当たって乱反射したときに、遮光手段の存在により、乱反射の光量を減少させることができる。従って、乱反射した赤外線が受光素子に受光され難くなり、誤作動が防止できるという優れた効果を奏する。
【図面の簡単な説明】
【００１４】
【図１】本考案に係る防水ケース２１の正面側の斜視図である。
【図２】本考案に係る防水ケース２１の背面側の斜視図である。
【図３】本考案に係る防水ケース２１を背面側ケース部材２３と携帯電子機器２２と正面側ケース部材２４とに分離して示した説明図である。
【図４】携帯電子機器２２の斜視図である。
【図５】（Ａ）本考案に係る防水ケース２１の底面図である。（Ｂ）防水ケース２１を背面側ケース部材２３と正面側ケース部材２４とに分離して示した底面図である。（Ｃ）薄膜部３５を拡大して示した正面図である。
【図６】図５（Ｃ）のＤ−Ｄ線断面図である。
【図７】正面側ケース部材２４の内側面を示す正面図である。
【図８】（Ｅ）図７のＧ−Ｇ線断面図である。（Ｆ）図７のＨ−Ｈ線断面図である。
【図９】プリズム４４に当たった赤外線４５の反射を略示的に示す説明図である。
【図１０】プリズム４４の他の実施例を示す、正面側ケース部材２４の内側面の正面図である。
【図１１】従来例に係る防水ケース１の要部を拡大して示す縦断面図である。
【考案を実施するための形態】
【００１５】
次に、本考案の実施の形態について図面を参照しながら説明する。まず、図１から図３において、符号２１は防水ケースを示し、この防水ケース２１は、携帯電子機器２２の背面２２ａと両側面２２ｂと上面２２ｃと下面２２ｄとをカバーする背面側ケース部材２３と、この背面側ケース部材２３に被せて携帯電子機器２２の正面２２ｅをカバーする正面側ケース部材２４とから構成される。
【００１６】
防水ケース２１は、スマートフォン（高機能携帯電話）のように液晶タッチパネル２５を有して携帯電話機能を備えた携帯電子機器２２を水密に収納するためのケースであって、図３及び図４に示す携帯電子機器２２は、例えばｉＰｈｏｎｅ（登録商標）のような薄型の筺体形状に形成されている。
【００１７】
背面側ケース部材２３は、柔軟性を有するシリコーン樹脂で形成されており、携帯電子機器２２の背面２２ａに有するカメラレンズ２６と対応する位置に、透明な樹脂板２７が取り付けられている。従って、携帯電子機器２２を収納した状態で写真の撮影が可能である。
【００１８】
背面側ケース部材２３の上部４２は、携帯電子機器２２の上面２２ｃに有するスリーブスイッチ２８をＯＮ／ＯＦＦ操作するためのスリーブスイッチ用突部２９が形成されている。
【００１９】
背面側ケース部材２３の一方の側部３０は、携帯電子機器２２の側面２２ｂに有する音量調節ボタン３１を操作するための音量調節用突部３２が形成されている。
【００２０】
背面側ケース部材２３の下部３３は、図５（Ａ）（Ｂ）（Ｃ）に示すように、携帯電子機器２２の下面２２ｄに有するマイク部（送話口）３４ａ及びスピーカ部３４ｂ（図４参照）に対応する位置に、シリコーン樹脂が薄膜状に形成された薄膜部３５が設けられている。この薄膜部３５の存在によって、使用者の音声が振動して伝播するので、携帯電子機器２２のマイク３４ａが使用者の音声を鮮明に拾うことができる。
【００２１】
なお、薄膜部３５の寸法の一例としては、長手方向の寸法が約７．２ｍｍ程度、短手方向の寸法が約５．６ｍｍ程度、厚みが約０．４〜０．６ｍｍ程度が望ましい。
【００２２】
更に、薄膜部３５には、図５（Ｃ）及び図６に示すように、振動を抑制してハウリングを防止するための突起部３６が一体に形成されている。この突起部３６の存在によって、使用者の音声による薄膜部３５の振動の余韻が抑制されることとなり、音声が防水ケース２１の内部に籠もり難くなるので、その結果ハウリング現象が防止できる効果がある。
【００２３】
なお、突起部３６の寸法の一例としては、長手方向の寸法が約４ｍｍ程度、短手方向の寸法が約１．８ｍｍ程度、高さが約１〜１．２ｍｍ程度が望ましい。
【００２４】
正面側ケース部材２４は、剛性を備える合成樹脂で形成されており、携帯電子機器２２の正面２２ｅに有する液晶タッチパネル２５と対応する位置に、板状部材３７が設けられている。この板状部材３７は、液晶タッチパネル２５に表示された情報を透視可能な透明な合成樹脂材、例えばポリカーボネート系樹脂等で形成される。
【００２５】
板状部材３７の下部側には、携帯電子機器２２の正面２２ｅに有するホームボタン３８と対応する位置に、弾性を有するホームボタン用押圧部３９が形成されている。
【００２６】
正面側ケース部材２４の下部４０は、図５（Ａ）（Ｂ）に示すように、薄膜部３５に対応する位置に孔部４１が形成されている。従って、背面側ケース部材２３の薄膜部３５が、正面側ケース部材２４の下部４０に邪魔されることなく、外部に連通するので、携帯電子機器２２のマイク部（送話口）３４ａが使用者の音声を明瞭に拾うことができる。
【００２７】
正面側ケース部材２４の内側面における上部側には、図７及び図８（Ｅ）（Ｆ）に示すように、携帯電子機器２２の正面２２ｅに内蔵される近接センサー４３（図４参照）に対応する位置に、プリズム４４が設けられている。プリズム４４は、透明な合成樹脂材で略三角柱状に形成される。
【００２８】
このプリズム４４の存在によって、近接センサー４３の発光素子から発せられる赤外線が当該プリズム４４に当たって屈折した状態に反射する（図９参照）。従って、反射した赤外線が受光素子に受光されないので、従来例のような通話中（耳が接近中）と誤判断することがなく、誤作動が生じないのである。
【００２９】
プリズム４４の短手方向における傾斜角度θ１は、図８（Ｅ）に示すように、１１０から１３０度の範囲であり、望ましくは１２０度程度である。また、プリズム４４の長手方向における傾斜角度θ２は、図８（Ｆ）に示すように、１１０から１３０度の範囲であり、望ましくは１２０度程度である。
【００３０】
プリズム４４の傾斜角度θ１、θ２を１１０から１３０度の範囲にすることによって、図９に示すように、プリズム４４に当たった赤外線４５の一部が乱反射して正面側ケース部材２４の外側に向かって反射することとなる。通話時においては、その乱反射した赤外線４５が耳に当たって反射し、受光素子が受け取って近接センサーが作動して、節電のためタッチパネルの表示をＯＦＦする。
【００３１】
次に、プリズム４４の他の実施例について説明する。プリズム４４は、図１０に示すように、中央部近傍に細幅の遮光手段４６が設けられている。遮光手段４６は、具体的には、プリズム４４の前面に黒色系のテープを貼着させてもよく、あるいは、遮光用のプラスチックのパーツを取り付けてもよい（何れも図示せず）。要するに、プリズム４４の前面の適宜位置を所定の範囲に渡って閉塞できればよいのである。
【００３２】
このように、プリズム４４に遮光手段４６を設けたことによって、近接センサーの発光素子から発した赤外線がプリズム４４に当たって乱反射したときに、遮光手段４６の存在により、乱反射の光量を減少させることができる。従って、乱反射した赤外線が受光素子に受光され難くなり、誤作動が防止できることとなる。
【００３３】
以上のように構成される防水ケース２１は、正面側ケース部材の内側面２４に、近接センサー４３から発せられる赤外線を屈折させるためのプリズム４４を設けたことによって、上述のように、当該プリズム４４に反射した赤外線が受光素子に受光されないので、従来例のような通話中（耳が接近中）と誤判断することがなく、誤作動が生じない。また、通話時においては、近接センサーが作動して節電のためタッチパネルの表示をＯＦＦすることとなる。
【符号の説明】
【００３４】
１    防水ケース
２    下ケース
３    上ケース
４    固定具
５    携帯電子機器
６    底部
７    第一壁部
８    第一緩衝部材
９    防水部材
１０  蓋部
１１  第二壁部
１２  第二緩衝部材
１３  小窓
２１  防水ケース
２２  携帯電子機器
２２ａ  背面
２２ｂ  側面
２２ｃ  上面
２２ｄ  下面
２２ｅ  正面
２３  背面側ケース部材
２４  正面側ケース部材
２５  液晶タッチパネル
２６  カメラレンズ
２７  樹脂板
２８  スリーブスイッチ
２９  スリーブスイッチ用突部
３０  側部
３１  音量調節ボタン
３２  音量調節用突部
３３  下部
３４ａ  マイク部（送話口）
３４ｂ  スピーカ部
３５  薄膜部
３６  突起部
３７  板状部材
３８  ホームボタン
３９  ホームボタン用押圧部
４０  下部
４１  孔部
４２  上部
４３  近接センサー
４４  プリズム
４５  赤外線
４６  遮光手段
【図１】
0003177946.tif 000003
【図２】
0003177946.tif 000004
【図３】
0003177946.tif 000005
【図４】
0003177946.tif 000006
【図５】
0003177946.tif 000007
【図６】
0003177946.tif 000008
【図７】
0003177946.tif 000009
【図８】
0003177946.tif 000010
【図９】
0003177946.tif 000011
【図１０】
0003177946.tif 000012
【図１１】
0003177946.tif 000013